(57)【要約】【課題】除鉄効率の向上を達成しつつ、バーマグネットの清掃等、メンテナンス作業の容易なマグネットフィルターを提供する。【解決手段】複数のバーマグネット１と、これを覆うハウジング２とを具備し、前記複数のバーマグネット１を前記ハウジング２内の所定の空間内に近接配置してなり、且つ、ハウジング２が、バーマグネット１を１本のみ備えたユニット４或いは所定の間隔をもって離散固定した複数のバーマグネット１を備えたブロック５を、複数個所定の空間配置に着脱自在に集合固定して形成してなるので、隣接するバーマグネット１同士を充分に近接配置することにより、除鉄効率の向上を達成し得る一方、各ユニット４或いはブロック５単位に、容易に分解可能であるため、隣接するバーマグネット１同士を異なるユニット４或いはブロック５に帰属せしめ得るので、各バーマグネット１の清掃が容易にできることとなる。【選択図】        図１
2004230345.tif 000002
【特許請求の範囲】
【請求項１】
複数のバーマグネットと、これを覆うハウジングとを具備し、前記複数のバーマグネットを前記ハウジング内の所定の空間内に近接配置してなるマグネットフィルターにおいて、前記ハウジングが、前記バーマグネットを１本のみ備えたユニット或いは所定の間隔をもって離散固定した複数の前記バーマグネットを備えたブロックを、複数個所定の空間配置に着脱自在に集合固定して形成したことを特徴とするマグネットフィルター。
【請求項２】
前記ブロックが、板状体の片側面に所定の間隔をもって、平行に離散固定した複数の前記バーマグネットを備えた形状を有するブロックであって、該ブロック同志を、前記複数の前記バーマグネットを平行に離散固定した前記板状体の片側面が、相対するように、且つ、双方のブロックの前記バーマグネットが、相互に接触することなく、近接配置してなることを特徴とする請求項１記載のマグネットフィルター。
【請求項３】
前記ブロックが、板状体の片側面に所定の間隔をもって、平行に離散固定した複数の前記バーマグネットを備えた形状を有する一方、前記バーマグネットを１本のみ備えたユニットの該バーマグネットを、前記ブロックの外周側面方向から、前記ブロックの平行に離散固定した前記バーマグネットに対して直角に、相互に接触することなく、複数個近接配置してなることを特徴とする請求項１記載のマグネットフィルター。
【発明の詳細な説明】
【０００１】
【発明の属する技術分野】
本発明は、バーマグネットの清掃の容易なマグネットフィルターに関するものである。
【０００２】
【従来の技術】
従来より、各種原料粉体や液体原料等の除鉄工程において、多くの場合、所定の間隔をもって、平行に離散固定した複数のバーマグネットを備えたマグネットフィルターが、使用されており、例えば、特許第３１５７３８７号明細書には、図８に示すように、１枚の支持フレーム１３に複数のバーマグネット１を、上下二段の千鳥格子状に平行配置したマグネットフィルター１５が、開示されている。
【０００３】
また、かかる従来のマグネットフィルターの典型例としては、図９（ａ）、（ｂ）に示すような形状のマグネットフィルター１６が、例示可能である。その一方で、かかるマグネットフィルター１６においては、複数の平行配置されたバーマグネット１が、支持フレーム１３と一体的に固定されており、しかも、これらのバーマグネット１の相互間の間隔を一定の範囲以内には小さくできないという問題があった。
【０００４】
すなわち、かかるマグネットフィルター１６においては、一般に、隣接するバーマグネット１相互間の間隔を小さくした方が、除鉄の効率が向上すると考えられるが、通常、かかるマグネットフィルター１６の掃除は、図１０（ａ）、（ｂ）に示すように、支持フレーム１３の片側面１４に所定の間隔をもって、平行に離散固定した複数のバーマグネット１を備えたブロック５を、ハウジング外周部７から取り外した後、図１０（ｃ）〜（ｈ）に示すように、個々のバーマグネット１に布１７を巻きつけて、付着した磁性体粉１８をこそぎ落とす要領で行なうため、隣接するバーマグネット１相互間においても、掃除が可能な程度の最小限の間隔は、確保する必要があるからである。
【０００５】
したがって、除鉄効率の向上を図るため、掃除が可能な程度の最小限の間隔以下にまで、バーマグネット１の相互間の間隔を小さくしてしまうと、図１１のように隣接するバーマグネット１相互の間に掃除のための布１７が、入らず、マグネットフィルター１６の掃除ができないこととなる。
【０００６】
【特許文献１】
特許第３１５７３８７号明細書  （第３頁、段落００２５〜第４頁、段落００３５、第５頁、図３、図４）
【０００７】
【発明が解決しようとする課題】
本発明は、かかる事由に鑑み、なされたもので、本発明の目的は、除鉄効率の向上を達成しつつ、バーマグネットの清掃等、メンテナンス作業の容易なマグネットフィルターを提供することにある。
【０００８】
【課題を解決するための手段】
上記課題を解決するために、請求項１に係るマグネットフィルターの発明にあっては、複数のバーマグネットと、これを覆うハウジングとを具備し、前記複数のバーマグネットを前記ハウジング内の所定の空間内に近接配置してなるマグネットフィルターにおいて、前記ハウジングが、前記バーマグネットを１本のみ備えたユニット或いは所定の間隔をもって離散固定した複数の前記バーマグネットを備えたブロックを、複数個所定の空間配置に着脱自在に集合固定して形成したことを特徴とするものである。
【０００９】
請求項２に係るマグネットフィルターの発明にあっては、請求項１記載のマグネットフィルターにおいて、前記ブロックが、板状体の片側面に所定の間隔をもって、平行に離散固定した複数の前記バーマグネットを備えた形状を有するブロックであって、該ブロック同志を、前記複数の前記バーマグネットを平行に離散固定した前記板状体の片側面が、相対するように、且つ、双方のブロックの前記バーマグネットが、相互に接触することなく、近接配置してなることを特徴とするものである。
【００１０】
請求項３に係るマグネットフィルターの発明にあっては、請求項１記載のマグネットフィルターにおいて、前記ブロックが、板状体の片側面に所定の間隔をもって、平行に離散固定した複数の前記バーマグネットを備えた形状を有する一方、前記バーマグネットを１本のみ備えたユニットの該バーマグネットを、前記ブロックの外周側面方向から、前記ブロックの平行に離散固定した前記バーマグネットに対して直角に、相互に接触することなく、複数個近接配置してなることを特徴とするものである。
【００１１】
【発明の実施の形態】
以下、本発明の実施形態を図面に基づき説明する。
【００１２】
［第１の実施形態］
図１に示すように、本発明の第１の実施形態におけるマグネットフィルターは、複数のバーマグネット１と、これを覆うハウジング２とを具備し、前記複数のバーマグネット１を前記ハウジング２内の所定の空間内に近接配置してなるものである。
【００１３】
さらに、ハウジング２は、前記バーマグネット１を１本のみ備えたユニット４或いは所定の間隔をもって離散固定した複数の前記バーマグネット１を備えたブロック５を、複数個所定の空間配置に着脱自在に集合固定して形成するものであるが、ここでは、ブロック５が、板状体６ａである支持フレーム１３ａの片側面１４ａに所定の間隔をもって、平行に離散固定した複数のバーマグネット１ａを備えた形状を有するブロック５ａ、及び、板状体６ｂである支持フレーム１３ｂの片側面１４ｂに所定の間隔をもって、平行に離散固定した複数のバーマグネット１を備えた形状を有するブロック５ｂであって、該ブロック５ａ、５ｂ同志を、複数の前記バーマグネット１ａ、１ｂを平行に離散固定した板状体６ａ、６ｂである支持フレーム１３ａ、１３ｂの片側面である１４ａ、１４ｂが、相対するように、且つ、双方のブロック５ａ、５ｂのバーマグネット１ａ、１ｂが、相互に接触することなく、近接配置してなるものである。（すなわち、本実施形態では、ハウジング２は、ユニット４を有せず、複数個［ここでは、２個］のブロック５ａ、５ｂを所定の空間配置に着脱自在に集合固定して形成するものである。）
【００１４】
さらに、具体的には、本実施形態のハウジング２は、ハウジング外周部７、及びブロック５ａ、５ｂにそれぞれ対応した取りつけガイド８ａ、８ｂを備え、ハウジング外周部７には、除鉄を行なう液体、粉体等の流入口９と吐出口１０とを備えている。この場合において、取りつけガイド８ａ、８ｂには、対応するブロック５ａ、５ｂのバーマグネット１ａ、１ｂの配置に対応した取りつけガイド穴１１ａ（図３参照）、１１ｂ（図４参照）が形成されており、ブロック５ａに取りつけたバーマグネット１ａと、ブロック５ｂに取りつけたバーマグネット１ｂとが、相互に接触することなく、且つ、充分近接配置できるように構成されている。
【００１５】
この結果、マグネットフィルターの運転時には、図１に示すように、ブロック５ａに取りつけたバーマグネット１ａと、ブロック５ｂに取りつけたバーマグネット１ｂとが、相互に接触することなく、且つ、充分な除鉄効率が達成し得る程度に充分近接配置できるように構成されているので、流入口９から入った除鉄を行なう液体、粉体等は、効果的に除鉄された後、吐出口１０から出て行くこととなる。
【００１６】
一方、ハウジング２中の掃除等メンテナンス作業の際には、図２に示すように、着脱自在のブロック５ａ、ブロック５ｂを取りつけガイド８ａ、８ｂから引き抜くことにより、ハウジング２の分解が可能となる。
【００１７】
この結果、着脱自在のブロック５ａ、ブロック５ｂに取りつけたバーマグネット１相互間の間隔１２は、掃除のための布を使用しての掃除が可能な程度まで、充分大きく設計することが可能となり、効率的に、ブロック５ａ、ブロック５ｂに取りつけたバーマグネット１の掃除等、ハウジング２中のメンテナンス作業を容易に実施することができることとなる。すなわち、ブロック５ａ或いはブロック５ｂに取りつけたバーマグネット１相互間の間隔１２を、掃除のための布を使用しての掃除が可能な程度まで、充分大きく設計しても、上記運転時には、ブロック５ａに取りつけたバーマグネット１と、ブロック５ａに取りつけたバーマグネット１とが、相互に接触することなく、且つ、充分近接配置できるように構成されているので、充分な除鉄効率を確保し得るからである。
【００１８】
［第２の実施形態］
図５に示すように、本発明の第２の実施形態におけるマグネットフィルターは、複数のバーマグネット１と、これを覆うハウジング２とを具備し、前記複数のバーマグネット１を前記ハウジング２内の所定の空間内に近接配置してなるものである。
【００１９】
さらに、ハウジング２は、前記バーマグネット１を１本のみ備えたユニット４或いは所定の間隔をもって離散固定した複数の前記バーマグネット１を備えたブロック５を、複数個所定の空間配置に着脱自在に集合固定して形成するものであるが、ここでは、ブロック５が、板状体６ｃである支持フレーム１３ｃの片側面１４ｃに所定の間隔をもって、平行に離散固定した複数のバーマグネット１ｃを備えた形状を有するブロック５ｃである一方、バーマグネット１を１本のみ備えたユニット４のバーマグネット１を、ブロック５ｃの外周側面方向から、ブロック５ｃ上の平行に離散固定したバーマグネット１ｃに対して直角に、相互に接触することなく、複数個近接配置してなるものである。
【００２０】
さらに、具体的には、本実施形態のハウジング２は、ハウジング外周部７、及びブロック５ａに対応した取りつけガイド８ｃを備え、ハウジング外周部７には、除鉄を行なう液体、粉体等の流入口９と吐出口１０の他、ユニット４のバーマグネット１を挿通するための穴部３をを備えている。この場合において、取りつけガイド８ｃに、対応するブロック５ｃのバーマグネット１ｃの配置に対応した取りつけガイド穴１１ｃが形成されており、ブロック５ｃに取りつけたバーマグネット１ｃと、ブロック５ｃの外周側面方向から、ハウジング外周部７の側面に設けた穴部３を通して、挿通したユニット４のバーマグネット１とが、相互に接触することなく、且つ、充分近接配置できるように構成されている。
【００２１】
この結果、本実施形態のマグネットフィルターの運転時には、図５（ａ）、（ｂ）に示すように、ブロック５ｃに取りつけたバーマグネット１ｃと、ユニット４に取りつけたバーマグネット１とが、相互に接触することなく、且つ、充分な除鉄効率が達成し得る程度に充分近接配置できるように構成されているので、流入口９から入った除鉄を行なう液体、粉体等は、効果的に除鉄された後、吐出口１０から出て行くこととなる。
【００２２】
一方、掃除等のハウジング２の中のメンテナンス作業の際には、図６に示すように、着脱自在のユニット４をハウジング外周部７の側面に設けた穴部３から、引き抜くことにより、また、上記第１の実施形態における図２と同様にして、着脱自在のブロック５ｃを取りつけガイド８ｃから、引き抜くことにより、ハウジング２の分解が可能となる。
【００２３】
この結果、上記第１の実施形態の場合と同様にして、着脱自在のブロック５ｃに取りつけたバーマグネット１ｃの相互間の間隔を、掃除のための布を使用しての掃除が可能な程度まで、充分大きく設計することが可能となり、効率的に、ユニット４に取りつけたバーマグネット１、ブロック５ｃに取りつけたバーマグネット１ｃの掃除等、ハウジング２の中のメンテナンス作業を容易に実施することが可能となる。すなわち、ブロック５ｃに取りつけたバーマグネット１ｃの相互間の間隔を、掃除のための布を使用しての掃除が可能な程度まで、充分大きく設計しても、上記運転時には、ブロック５ｃに取りつけたバーマグネット１ｃと、ユニット４に取りつけたバーマグネット１とが、相互に接触することなく、且つ、充分近接配置できるように構成されているので、充分な除鉄効率を確保し得るからである。
【００２４】
［第３の実施形態］
図７に示すように、本発明の第３の実施形態におけるマグネットフィルターは、複数のバーマグネット１と、これを覆うハウジング２とを具備し、前記複数のバーマグネット１を前記ハウジング２内の所定の空間内に近接配置してなるものである。
【００２５】
さらに、ハウジング２は、前記バーマグネット１を１本のみ備えたユニット４或いは所定の間隔をもって離散固定した複数の前記バーマグネット１を備えたブロック５を、複数個所定の空間配置に着脱自在に集合固定して形成するものであるが、ここでは、ブロック５が、板状体６ｄである支持フレーム１３ｄの片側面１４ｄに所定の間隔をもって、平行に離散固定した複数のバーマグネット１ｄを備えた形状を有するブロック５ｄ、及び、板状体６ｅである支持フレーム１３ｅの片側面１４ｅに所定の間隔をもって、平行に離散固定した複数のバーマグネット１ｅを備えた形状を有するブロック５ｅであって、該ブロック５ｄ、５ｅ同志を、複数の前記バーマグネット１ｄ、１ｅを平行に離散固定した板状体６ｄ、６ｅである支持フレーム１３ｄ、１３ｅの片側面である１４ｄ、１４ｅが、相対するように、且つ、双方のブロック５ｄ、５ｅのバーマグネット１ｄ、１ｅが、相互に接触することなく、近接配置してなるものである。
【００２６】
さらに、本実施形態のマグネットフィルターは、バーマグネット１を１本のみ備えたユニット４を、ブロック５ｄ、５ｅの外周側面方向から、ブロック５ｄ、５ｅ上の平行に離散固定したバーマグネット１に対して直角に、相互に接触することなく、複数個近接配置してなるものである。
【００２７】
この結果、図７（ａ）、（ｂ）に示すように、本実施形態のマグネットフィルターの運転時には、上記各実施形態の場合と同様に、ユニット４及びブロック５ｄ、５ｅに取りつけたバーマグネット１が、相互に接触することなく、且つ、充分な除鉄効率が達成し得る程度に充分近接配置できるように構成されているので、流入口９から入った除鉄を行なう液体、粉体等は、効果的に除鉄された後、吐出口１０から出て行くこととなる。
【００２８】
一方、図７（ｃ）に示すように、ハウジング２中の掃除等メンテナンス作業の際には、着脱自在のユニット４、及び着脱自在のブロック５ｄ、５ｅを取り外すことにより、ハウジング２の分解が可能となる。
【００２９】
この結果、着脱自在のブロック５ｄ、５ｅに取りつけたバーマグネット１相互間の間隔は、掃除のための布を使用しての掃除が可能な程度まで、充分大きく設計することが可能となり、ユニット４に取りつけたバーマグネット１については勿論のこと、効率的に、ブロック５ｄ、５ｅに取りつけたバーマグネット１、ｄ１ｅの掃除等、ハウジング２中のメンテナンス作業を容易に実施することができることとなる。
【００３０】
以上の各実施形態において例示したように、本発明のマグネットフィルターは、複数のバーマグネット１と、これを覆うハウジング２とを具備し、前記複数のバーマグネット１を前記ハウジング２内の所定の空間内に近接配置してなるものであって、ハウジング２が、バーマグネット１を１本のみ備えたユニット４或いは所定の間隔をもって離散固定した複数のバーマグネット１を備えたブロック５を、複数個所定の空間配置に着脱自在に集合固定して形成してなるので、隣接するバーマグネット１同士を充分に近接配置することにより、除鉄効率の向上を達成し得る一方、各ユニット４或いはブロック５単位に、容易に分解可能であるため、上記隣接するバーマグネット１同士を異なるユニット４或いはブロック５に帰属せしめることにより、各バーマグネット１の清掃が容易にできることとなる。
【００３１】
【発明の効果】
以上のように、請求項１〜請求項３に係るマグネットフィルターの発明にあっては、複数のバーマグネットと、これを覆うハウジングとを具備し、前記複数のバーマグネットを前記ハウジング内の所定の空間内に近接配置してなるマグネットフィルターにおいて、前記ハウジングが、前記バーマグネットを１本のみ備えたユニット或いは所定の間隔をもって離散固定した複数の前記バーマグネットを備えたブロックを、複数個所定の空間配置に着脱自在に集合固定して形成したことを特徴とするので、隣接するバーマグネット同士を充分に近接配置することにより、除鉄効率の向上を達成し得る一方、各ユニット或いはブロック単位に、容易に分解可能であるため、上記隣接するバーマグネット同士を異なるユニット或いはブロックに帰属せしめることにより、各バーマグネットの清掃が容易になるという優れた効果を奏する。
【図面の簡単な説明】
【図１】本発明の第１の実施形態におけるマグネットフィルターの概略を模式的に示すもので、（ａ）は、縦断面図、（ｂ）は、横断面図である。
【図２】本発明の第１の実施形態におけるマグネットフィルターの分解時の概略を模式的に示す縦断面図である。
【図３】本発明の第１の実施形態におけるマグネットフィルターの取りつけガイド８ａの概略を示す平面図である。
【図４】本発明の第１の実施形態におけるマグネットフィルターの取りつけガイド８ｂの概略を示す平面図である。
【図５】本発明の第２の実施形態におけるマグネットフィルターの概略を模式的に示すもので、（ａ）は、縦断面図、（ｂ）は、横断面図である。
【図６】本発明の第２の実施形態におけるマグネットフィルターの分解時の概略を模式的に示す縦断面図である。
【図７】本発明の第３の実施形態におけるマグネットフィルターの概略を模式的に示すもので、（ａ）は、縦断面図、（ｂ）は、横断面図、（ｃ）は、分解時の概略を示す縦断面図である。
【図８】従来例に係るマグネットフィルターの構成の概略を示す斜視図である。
【図９】
上記と異なる従来例に係るマグネットフィルターの構成の概略を模式的に示すもので、（ａ）は、縦断面図、（ｂ）は、横断面図である。
【図１０】従来例に係るマグネットフィルターの掃除の様子を模式的に示すもので、（ａ）は、平行に離散固定した複数のバーマグネット１を備えたブロック５の分解時の概略を模式的に示す下面図、（ｂ）は、マグネットフィルターの分解時の概略を模式的に示す縦断面図であり、（ｃ）は、ブロック５の分解直後の概略を模式的に示す下面図、（ｄ）は、ブロック５の分解直後の概略を模式的に示す縦断面図であり、（ｅ）は、バーマグネット１の掃除の様子を模式的に示すブロック５の下面図、（ｆ）は、バーマグネット１の掃除の様子を模式的に示すブロック５の縦断面図であり、（ｇ）は、バーマグネット１の掃除の終了時の様子を模式的に示すブロック５の下面図、（ｈ）は、バーマグネット１の掃除の終了時の様子を模式的に示すブロック５の縦断面図である。
【図１１】従来例に係るマグネットフィルターにおいて、バーマグネット１の相互間の間隔を小さくした結果、隣接するバーマグネット１相互の間に布１７が、入らなくなったブロック５の下面図である。
【符号の説明】
１      バーマグネット
２      ハウジング
３      穴部（ハウジング外周部７）
４      ユニット（バーマグネット１を１本のみ備える）
５      ブロック（離散固定した複数のバーマグネット１を備える）
６      板状体
７      ハウジング外周部
８      取りつけガイド
９      流入口
１０      吐出口
１１      取りつけガイド穴
１２      間隔（ブロック５に取りつけたバーマグネット１相互間）
１３      支持フレーム
１４      片側面（支持フレーム１３）
１５      マグネットフィルター（従来例）
１６      マグネットフィルター（従来例）
１７      布（掃除用）
１８      磁性体粉
【図１】
2004230345.tif 000003
【図２】
2004230345.tif 000004
【図３】
2004230345.tif 000005
【図４】
2004230345.tif 000006
【図５】
2004230345.tif 000007
【図６】
2004230345.tif 000008
【図７】
2004230345.tif 000009
【図８】
2004230345.tif 000010
【図９】
2004230345.tif 000011
【図１０】
2004230345.tif 000012
【図１１】
2004230345.tif 000013